(57)【要約】【課題】建物ユニットの一部にバルコニ床や下屋が設けられた建物を得る。【解決手段】下階側建物ユニット１２における下階側天井フレーム２２において、下階側天井大梁３８、４０間には補強梁４２が架け渡されると共に、当該補強梁４２と略直交して下階側天井大梁３４、３６間には、補強梁４４が設けられている。これにより、バルコニ床大梁５２、５４、５６、５８、６０は、下階側天井大梁３４、３６、３８、４０によって支持され、バルコニ１６の入隅部５０に対応するバルコニ床大梁６０、６２は補強梁４２、４４Ａによって支持される。また、下階側天井フレーム２２には、補強梁４４に対向して補強梁４６が配設されており、当該補強梁４６には下屋１８Ｂを支持する下屋束が連結されている。つまり、この建物１０では、図４に示されるように、上階側建物ユニット１４においてバルコニ１６及び下屋１８を設けることができる。【選択図】図１
2014190061.tif 000002
【特許請求の範囲】
【請求項１】
上階側建物ユニットを支持する下階側建物ユニットの天井部は、互いに対向して配設された一対の第１天井大梁と、前記第１天井大梁と直交すると共に互いに対向して配設された一対の第２天井大梁と、を含んで構成され、
前記上階側建物ユニットの一部に設けられたバルコニと、
前記第１天井大梁間に架け渡され、前記バルコニの一部を構成するバルコニ床フレームの一部が連結された第１補強梁と、
前記第２天井大梁間において前記第１補強梁に対して交叉して配設され、前記バルコニ床フレームの他の一部が連結された第２補強梁と、
前記上階側建物ユニットにおいて前記バルコニに隣接して設けられた下屋と、
を有する建物。
【請求項２】
前記天井部において前記第２補強梁に対向して配設され、前記下屋の一部が連結された第３補強梁が設けられている請求項１に記載の建物。
【請求項３】
上階側建物ユニットを支持する下階側建物ユニットの天井部は、互いに対向して配設された一対の第１天井大梁と、前記第１天井大梁と直交すると共に互いに対向して配設された一対の第２天井大梁と、を含んで構成され、
前記上階側建物ユニットの一部に設けられ平面視でＬ字状を成すバルコニと、
前記第１天井大梁間に架け渡され、前記バルコニの入隅部に対応して設けられたバルコニ床フレームの一方が連結された第１補強梁と、
前記第２天井大梁間において前記第１補強梁に対して交叉して配設され、前記バルコニ床フレームの他方が連結された第２補強梁と、
を有する建物。
【請求項４】
前記上階側建物ユニットの他部に設けられた下屋と、
前記天井部において前記第２補強梁に対向して配設され、前記下屋の一部が連結された第３補強梁と、
を有する請求項３に記載の建物。
【発明の詳細な説明】
【技術分野】
【０００１】
本発明は、バルコニが設けられた建物に関する。
【背景技術】
【０００２】
下記特許文献１には、一つの建物ユニット内において、向かい合う大梁間を跨ぐようにして補強梁が設けられている。
【先行技術文献】
【特許文献】
【０００３】
【特許文献１】特開２０１１−１９６０５５号公報
【発明の概要】
【発明が解決しようとする課題】
【０００４】
しかしながら、この先行技術における補強梁は、間仕切り壁を配置するためのものであり、バルコニ床や下屋を支持するようにはなっていない。
【０００５】
本発明は、上記事実を考慮して、建物ユニットの一部にバルコニや下屋が設けられた建物を得ることが目的である。
【課題を解決するための手段】
【０００６】
請求項１記載の本発明に係る建物は、上階側建物ユニットを支持する下階側建物ユニットの天井部は、互いに対向して配設された一対の第１天井大梁と、前記第１天井大梁と直交すると共に互いに対向して配設された一対の第２天井大梁と、を含んで構成され、前記上階側建物ユニットの一部に設けられたバルコニと、前記第１天井大梁間に架け渡され、前記バルコニの一部を構成するバルコニ床フレームの一部が連結された第１補強梁と、前記第２天井大梁間において前記第１補強梁に対して交叉して配設され、前記バルコニ床フレームの他の一部が連結された第２補強梁と、前記上階側建物ユニットにおいて前記バルコニに隣接して設けられた下屋と、を有している。
【０００７】
請求項１記載の本発明に係る建物では、上階側建物ユニットを支持する下階側建物ユニットの天井部には、一対の第１天井大梁及び一対の第２天井大梁が、それぞれ互いに対向して配設されており、当該第１天井大梁と第２天井大梁とは直交して配置されている。
【０００８】
ここで、上階側建物ユニットにはバルコニ及び下屋が互いに隣接して設けられている。第１天井大梁間には第１補強梁が架け渡されており、当該第１補強梁には、バルコニの一部を構成するバルコニ床フレームの一部が連結されている。また、第２天井大梁間には第１補強梁に対して交叉する第２補強梁が設けられており、当該第２補強梁には、バルコニ床フレームの他の一部が連結されている。
【０００９】
このように、下階側建物ユニットの天井部に第１補強梁及び第２補強梁を設けることによって、上階側建物ユニットの一部にバルコニを設けることができ、これにより、当該上階側建物ユニットにおいてバルコニに隣接して下屋を設けることができる。つまり、この建物では、上階側建物ユニットにおいてバルコニ及び下屋を設けることができるため、建物における奥行き感を演出することができ、建物の意匠性を向上させることができる。
【００１０】
請求項２記載の本発明に係る建物は、請求項１に記載の建物において、前記天井部において前記第２補強梁に対向して配設され、前記下屋の一部が連結された第３補強梁が設けられている。
【００１１】
請求項２記載の本発明に係る建物では、天井部において、第２補強梁に対向して第３補強梁が配設されており、当該第３補強梁に下屋の一部が連結されている。
【００１２】
請求項３記載の本発明に係る建物は、上階側建物ユニットを支持する下階側建物ユニットの天井部は、互いに対向して配設された一対の第１天井大梁と、前記第１天井大梁と直交すると共に互いに対向して配設された一対の第２天井大梁と、を含んで構成され、前記上階側建物ユニットの一部に設けられ平面視でＬ字状を成すバルコニと、前記第１天井大梁間に架け渡され、前記バルコニの入隅部に対応して設けられたバルコニ床フレームの一方が連結された第１補強梁と、前記第２天井大梁間において前記第１補強梁に対して交叉して配設され、前記バルコニ床フレームの他方が連結された第２補強梁と、を有している。
【００１３】
請求項３記載の本発明に係る建物では、上階側建物ユニットを支持する下階側建物ユニットの天井部には、一対の第１天井大梁及び一対の第２天井大梁が、それぞれ互いに対向して配設されており、第１天井大梁と第２天井大梁とは直交して配置されている。
【００１４】
ここで、上階側建物ユニットの一部には平面視でＬ字状を成すバルコニが設けられている。第１天井大梁間には第１補強梁が架け渡されており、当該第１補強梁には、バルコニの入隅部に対応して設けられたバルコニ床フレームの一方が連結されている。また、第２天井大梁間には第１補強梁に対して交叉する第２補強梁が設けられており、当該第２補強梁には、バルコニ床フレームの他方が連結されている。
【００１５】
このように、下階側建物ユニットの天井部に第１補強梁及び第２補強梁を設けることによって、上階側建物ユニットの一部において、平面視でＬ字状を成すバルコニを設けることができる。
【００１６】
請求項４記載の本発明に係る建物は、請求項３に記載の建物において、前記上階側建物ユニットの他部に設けられた下屋と、前記天井部において前記第２補強梁に対向して配設され、前記下屋の一部が連結された第３補強梁と、を有している。
【００１７】
請求項４記載の本発明に係る建物では、上階側建物ユニットの他部に下屋が設けられている。下階側建物ユニットの天井部には、第２補強梁に対向して第３補強梁が配設されており、当該第３補強梁には下屋の一部が連結されている。
【００１８】
このように、下階側建物ユニットの天井部に第３補強梁を設けることによって、上階側建物ユニットの他部において、下屋を設けることができる。
【発明の効果】
【００１９】
以上説明したように、請求項１記載の本発明に係る建物は、上階側建物ユニットにバルコニ及び下屋を設けることができる、という優れた効果を有する。
【００２０】
請求項２記載の本発明に係る建物は、下屋の一部が連結される第３補強梁を第２補強梁とは別に設けることで、設計の自由度が向上する、という優れた効果を有する。
【００２１】
請求項３記載の本発明に係る建物は、上階側建物ユニットに平面視でＬ字状を成すバルコニを設けることができる、という優れた効果を有する。
【００２２】
請求項４記載の本発明に係る建物は、平面視でＬ字状を成すバルコニが設けられた上階側建物ユニットに下屋を設けることができる、という優れた効果を有する。
【図面の簡単な説明】
【００２３】
【図１】本実施の形態に係る建物の要部を示す分解斜視図である。
【図２】本実施の形態に係る建物の要部を示す平面図である。
【図３】本実施の形態に係る建物における下屋の取付けの一例を示す概略斜視図である。
【図４】本実施の形態に係る建物を示す正面図である。
【発明を実施するための形態】
【００２４】
以下、図面を用いて本発明の一実施形態に係る建物について説明する。
【００２５】
（建物の構成）
まず、本実施の形態に係る建物の構成について説明する。図４には、本実施の形態に係る建物の正面図が示されている。この建物１０は下階側建物ユニット１２及び上階側建物ユニット１４を含んで構成されており、当該上階側建物ユニット１４は下階側建物ユニット１２によって支持されている。
【００２６】
下階側建物ユニット１２の正面側には玄関１３が設けられている。この玄関１３にはいわゆるアルコーブが設けられており、玄関ドア１５は建物１０の外壁面１０Ａから屋内側に退避した位置に設けられている。また、下階側建物ユニット１４には、玄関１３に隣接して居住空間が設けられている。さらに、下階側建物ユニット１４の奥方には、居住空間が設けられた下階側建物ユニットが当該下階側建物ユニット１４に隣接している。
【００２７】
一方、上階側建物ユニット１４の一部には、図２に示されるように、平面視で略Ｌ字状を成すバルコニ１６が設けられている。また、上階側建物ユニット１４には、バルコニ１６に隣接して複数の下屋パネルによって構成された下屋１８が設けられ、当該下屋１８はバルコニ１６の正面側の略全域に亘って形成されている。なお、上階側建物ユニット１４の奥方には、居住空間が設けられた上階側建物ユニットが当該上階側建物ユニット１４に隣接しているが、その図示を省略している。下階側建物ユニット１４の奥方に隣接された下階側建物ユニットも同様、その図示を省略している。
【００２８】
図１に示されるように、下階側建物ユニット１２は、当該下階側建物ユニット１２の床部を構成する下階側床フレーム２０と、下階側建物ユニット１２の天井部を構成する下階側天井フレーム２２と、を含んで構成されている。当該下階側天井フレーム２２と下階側床フレーム２０との間には柱部２４が配置されており、下階側床フレーム２０の四隅に当該柱部２４の下端部がそれぞれ結合されると共に、下階側天井フレーム２２の四隅に柱部２４の上端部がそれぞれ結合されている。
【００２９】
下階側床フレーム２０は、長辺側に配設された一対の下階側床大梁２６、２８と短辺側に配設された一対の下階側床大梁３０、３２とが略直交して配置され、これにより矩形枠状を成している。下階側床大梁２６、２８及び下階側床大梁３０、３２は各々溝形鋼によって構成されており、下階側床大梁２６と下階側床大梁２８との間には、下階側床小梁（図示省略）が架け渡されている。当該下階側床小梁は、下階側床大梁２６、２８の長手方向に沿って所定の間隔で複数配置されており、溶接やボルト締結等により下階側床大梁２６及び下階側床大梁２８に結合されている。
【００３０】
一方、下階側天井フレーム２２は、長辺側に配設された一対の第２天井大梁としての下階側天井大梁３４、３６と短辺側に配設された第１天井大梁としての下階側天井大梁３８、４０とが略直交して配置され、これにより矩形枠状を成している。そして、下階側天井大梁３４、３６及び下階側天井大梁３８、４０は、下階側床フレーム２０を構成する大梁同様、各々溝形鋼によって構成されている。
【００３１】
ここで、下階側天井フレーム２２では、下階側天井大梁３８と下階側天井大梁４０との間に、下階側天井大梁３８、４０と同じ梁せいで形成された第１補強梁としての補強梁４２が、当該下階側天井大梁３８、４０に対して略平行となるように架け渡されている。この補強梁４２は、溶接やボルト締結等により下階側天井大梁３８及び下階側天井大梁４０に結合されている。
【００３２】
また、下階側天井大梁３４と下階側天井大梁３６との間には、補強梁４２と略直交して下階側天井大梁３４、３６と同じ梁せいで形成された第２補強梁としての補強梁４４及び第３補強梁としての補強梁４６が架け渡されている。つまり、補強梁４２と補強梁４４とは互いに対向して配設されている。
【００３３】
補強梁４４は、補強梁４４Ａ及び補強梁４４Ｂで構成されている。補強梁４４Ａは、下階側天井大梁３４と補強梁４２との間に架け渡されており、溶接やボルト締結等により下階側天井大梁３４及び補強梁４２に結合されるようになっている。一方、補強梁４４Ｂは、補強梁４２と下階側天井大梁３６との間に架け渡されており、補強梁４４Ａ同様、溶接やボルト締結等により補強梁４２及び下階側天井大梁３６に結合されるようになっている。
【００３４】
また、補強梁４６は、補強梁４６Ａ及び補強梁４６Ｂで構成されている。補強梁４６Ａは、下階側天井大梁３４と補強梁４２との間に架け渡されており、溶接やボルト締結等により下階側天井大梁３４及び補強梁４２に結合されるようになっている。一方、補強梁４６Ｂは、補強梁４２と下階側天井大梁３６との間に架け渡されており、補強梁４６Ａ同様、溶接やボルト締結等により補強梁４２及び下階側天井大梁３６に結合されるようになっている。
【００３５】
なお、下階側天井大梁３４と下階側天井大梁３６との間には、下階側天井小梁（図示省略）が架け渡されている。当該下階側床小梁は、下階側床小梁の長手方向に沿って２つに分割され、溶接やボルト締結等により、下階側天井大梁３４及び補強梁４２、補強梁４２及び下階側天井大梁３６にそれぞれ結合されている。そして、当該下階側床小梁は、下階側天井大梁３４、３６の長手方向に沿って所定の間隔で複数配置される。
【００３６】
ところで、本実施形態では、図１及び図２に示されるように、上階側建物ユニット１４の一部には、前述のようにバルコニ１６が設けられているが、当該バルコニ１６は平面視で略Ｌ字状を成しているため、バルコニ１６には入隅部５０が設けられている。
【００３７】
バルコニ１６の一部を構成するバルコニ床フレーム４８は、各々溝形鋼によって構成されており、長辺側に配設された一対のバルコニ床大梁５２、５４と短辺側に配設された一対のバルコニ床大梁５６、５８とが略直交して配置されている。また、バルコニ１６の入隅部５０に対応して、バルコニ床大梁５４と対向するバルコニ床大梁６０（バルコニ床フレームの一方）及びバルコニ床大梁５８と対向するバルコニ床大梁６２（バルコニ床フレームの他方）が設けられている。そして、バルコニ床大梁５６、バルコニ床大梁６０、６２及びバルコニ床大梁５２、５８上には腰壁６４が立設されている。
【００３８】
また、バルコニ床大梁５２、５４、５６、５８と下階側天井フレーム２２の下階側天井大梁３４、３６、３８、４０とは、建物１０の高さ方向に沿って上下に対向してそれぞれ配置されており、互いに連結可能とされている。また、バルコニ１６の入隅部５０に対応して設けられたバルコニ床大梁６０、６２と下階側天井フレーム２２の補強梁４２、４４Ａとは、建物１０の高さ方向に沿って上下に対向してそれぞれ配置されており、互いに連結可能とされている。
【００３９】
一方、上階側建物ユニット１４には、バルコニ１６に隣接して下屋１８が設けられており、当該下屋１８はバルコニ１６の正面側の略全域に亘って形成されている。バルコニ１６の下部から張り出す下屋１８Ａは、バルコニ床大梁５２に固定されたブラケット（図示省略）を介して、当該下屋１８Ａを支持する垂木（図示省略）が桁方向に沿って複数固定されるようになっている。
【００４０】
また、玄関１３（図４参照）の上方に位置してバルコニ１６の入隅部５０の近傍に設けられた下屋１８Ｂを支持する下屋束６６（図３参照）は、補強梁４６Ａに固定されるようになっている。そして、当該下屋束６６及び下階側天井フレーム２２の一部を構成する下階側天井大梁３４に対して、図示しないブラケットを介して下屋１８Ｂを支持する垂木６８が固定される。なお、この垂木６８は、図示はしないが桁方向に沿って複数配設されている。
【００４１】
（建物の作用・効果）
次に、本実施の形態に係る建物の作用・効果について説明する。
【００４２】
図１に示されるように、本実施形態では、下階側建物ユニット１２における下階側天井フレーム２２において、短辺側に配設された一対の下階側天井大梁３８、４０間には補強梁４２が架け渡されると共に、当該補強梁４２と略直交して長辺側に配設された一対の下階側天井大梁３４、３６間には、補強梁４４が設けられている。
【００４３】
これにより、バルコニ床大梁５２、５４、５６、５８、６０は、下階側天井フレーム２２の下階側天井大梁３４、３６、３８、４０によって支持され、バルコニ１６の入隅部５０に対応するバルコニ床大梁６０、６２は、下階側天井フレーム２２の補強梁４２、４４Ａによって支持される。また、下階側天井フレーム２２には、補強梁４４に対向して補強梁４６が配設されており、当該補強梁４６には下屋１８Ｂを支持する下屋束６６（図３参照）が連結されている。
【００４４】
このように、下階側建物ユニット１２の下階側天井フレーム２２に補強梁４２及び補強梁４４を設けることによって、上階側建物ユニット１４の一部に、平面視でＬ字状を成すバルコニ１６を設けることができる。さらに、下階側天井フレーム２２に補強梁４６を設けることによって、上階側建物ユニット１４において、バルコニ１６に隣接する下屋１８を設けることができる。
【００４５】
つまり、図４に示されるように、この建物１０では、上階側建物ユニット１４において、バルコニ１６及び下屋１８を設けることができるため、建物１０における奥行き感を演出することができ、建物１０の意匠性を向上させることができる。
【００４６】
また、本実施形態では、図１に示されるように、下階側天井フレーム２２に補強梁４４を設け、当該補強梁４４にバルコニ床大梁６２が連結されるようになっているが、下階側天井フレーム２２の下階側天井大梁３４に沿った補強梁４４の位置は特に規定されるのものではない。したがって、バルコニ１６の面積を自由に変えることができ、ユーザのニーズに沿った建物１０の設計を行うことができる。
【００４７】
また、本実施形態では、下階側天井フレーム２２に互いに対向する補強梁４４及び補強梁４６を設け、補強梁４４にはバルコニ床フレーム４８の一部が連結され、補強梁４６には下屋１８の一部が連結されるようにしている。これにより、建物１０の設計の自由度が向上するが、補強梁４４、４６でそれぞれバルコニ床フレーム４８の一部、下屋１８の一部をそれぞれ支持することで、補強梁４４、４６毎に対応して荷重は分散されることになる。このため、それぞれの荷重に対応した剛性となるように、補強梁４４、４６を設計することができる。なお、補強梁４４及び補強梁４６が一つの補強梁であって、当該補強梁に、バルコニ床フレーム４８の一部及び下屋１８の一部が連結されるようにしても良いのは勿論のことである。
【００４８】
（その他の実施形態）
本実施形態では、バルコニ１６は平面視で略Ｌ字状を成しているが、上階側建物ユニット１４の一部にバルコニが設けられていれば良いため、バルコニの形状はこれに限るものではない。例えば、平面視で略Ｕ字状を成す形状であっても良い。
【００４９】
さらに、本実施形態では、補強梁４２及び補強梁４４は、下階側天井大梁３４、３６に対して略直交するように配設されているが、下階側天井大梁３４、３６に対して交叉して配設されていれば良いため、下階側天井大梁３４、３６に対して必ずしも直交させる必要はない。これにより、バルコニの形状においてさらに自由度が向上する。
【００５０】
また、本実施形態では、補強梁４４は、補強梁４４Ａ及び補強梁４４Ｂで構成され、補強梁４６は、補強梁４６Ａ及び補強梁４６Ｂで構成されている。しかし、補強梁４４Ｂ、４６Ｂは必ずしも必要ではない。
【００５１】
さらに、本実施形態では、一つの建物ユニットにおいて、バルコニ１６及び下屋１８を設けるようにしたが、二つの建物ユニットに亘って、バルコニ１６及び下屋１８を設けるようにしても良い。
【００５２】
以上、本発明の一実施形態について説明したが、本発明は、上記に限定されるものでなく、上記以外にも、その主旨を逸脱しない範囲内において種々変形して実施可能であることは勿論である。
【符号の説明】
【００５３】
１０    建物
１２    下階側建物ユニット
１４    上階側建物ユニット
１６    バルコニ
１８    下屋
２２    下階側天井フレーム（天井部）
３４    下階側天井大梁（第２天井大梁、天井部）
３６    下階側天井大梁（第２天井大梁、天井部）
３８    下階側天井大梁（第１天井大梁、天井部）
４０    下階側天井大梁（第１天井大梁、天井部）
４２    補強梁（第１補強梁、天井部）
４４    補強梁（第２補強梁、天井部）
４６    補強梁（第３補強梁、天井部）
４８    バルコニ床フレーム
５０    入隅部
５２    バルコニ床大梁（バルコニ床フレーム）
５４    バルコニ床大梁（バルコニ床フレーム）
５６    バルコニ床大梁（バルコニ床フレーム）
５８    バルコニ床大梁（バルコニ床フレーム）
６０    バルコニ床大梁（バルコニ床フレーム）
６２    バルコニ床大梁（バルコニ床フレーム）
６２    バルコニ床大梁（バルコニ床フレーム）
【図１】
2014190061.tif 000003
【図２】
2014190061.tif 000004
【図３】
2014190061.tif 000005
【図４】
2014190061.tif 000006